(57)【特許請求の範囲】
【請求項１】
内側引き戸（３）に対して外側引き戸（４）を小開口位置（Ａ）まで移動したときに、外側引き戸（４）の開口拡大方向の移動を規制する引き違い窓の小開口装置であって、
外側引き戸（４）の戸枠（４ａ）の戸移動方向中途部に設けたホルダ（５）と、このホルダ（５）内に配置されていて室内方向に出退可能でありかつ先端が突出することにより内側引き戸（３）と当接可能なストッパ部材（６）と、前記ホルダ（５）内に配置されていて戸移動方向に沿って摺動することによりストッパ部材（６）を出退させる摺動体（７）と、前記ホルダ（５）内に配置されていて回動することにより摺動体（７）を摺動可能でありかつ室内側の端部に回動工具を係合する工具係合部（８ａ）を有する回動体（８）と、この回動体（８）を室外側から回動操作する操作部材（９）とを備えており、
前記摺動体（７）から突出していて摺動体（７）を室内側から摺動操作可能な補助操作部材（１２）と、この補助操作部材（１２）を覆い隠すべく前記ホルダ（５）の室内側に配置されておりかつ補助操作部材（１２）を露出すべく手で破壊可能な目隠し部材（１３）とを有することを特徴とする引き違い窓の小開口装置。
【請求項２】
前記補助操作部材（１２）は、摺動体（７）内に出退可能に配置され、かつ付勢部材（１４）により突出方向に付勢されていることを特徴とする請求項１に記載の引き違い窓の小開口装置。
【請求項３】
前記ホルダ（５）は、ストッパ部材（６）、摺動体（７）及び回動体（８）を支持するホルダ本体（５Ａ）と、このホルダ本体（５Ａ）の室内側に配置されおり、かつストッパ部材用貫通孔（１６）、回動体（８）の工具係合部用露出孔（１７）及び補助操作部材用挿通孔（１８）を形成した室内側板（５Ｂ）とを有しており、
前記目隠し部材（１３）は手で破壊可能な板材で形成されていて室内側板（５Ｂ）の挿通孔（１８）を塞ぐ位置に設けられていることを特徴とする請求項１又は２に記載の引き違い窓の小開口装置。
【請求項４】
前記ストッパ部材（６）の基部側には動作ピン（２１）が設けられ、前記ホルダ（５）には動作ピン（２１）を室内外方向の直線移動を案内するガイド溝（２２）が形成され、前記摺動体（７）には摺動体（７）の戸移動方向の動きを動作ピン（２１）の室内外方向の動きに変換するカム溝（２３）が形成されていることを特徴とする請求項１〜３のいずれか１項に記載の引き違い窓の小開口装置。
【発明の詳細な説明】
【技術分野】
【０００１】
本発明は、建築物の屋外開口に取り付けられる引き違い窓の小開口装置に関する。
【背景技術】
【０００２】
ホテル等の建築物においては、採光、換気のための屋外開口に引き違い窓が取り付けられている。この引き違い窓は内外２枚の引き戸を有し、窓を全閉にしたときに引き戸の移動を阻止するクレセント錠等の防犯用の閉鎖錠と、窓を小開口開放してそれ以上の引き戸の移動を制限する換気用の小開口装置（開放制限装置）とが設けられている。
この小開口装置（開放制限装置）の従来技術として、特許文献１に記載されたバリアフリーサッシの障子開放制限装置は、下枠上面を略フラットに形成し、この下枠上面に細い条状のスライド溝を設け、このスライド溝に、障子下框から垂下させた垂下片を嵌入し、下枠上面を障子がスライド走行する下枠上面フラットサッシ構造とし、障子の開口範囲を制限するストッパ受けを、二重構造にした下枠上面の上の辺を切り欠いて取付凹部を形成して取り付け、当該ストッパ受けに係合するストッパ部材を障子下框内部に自重でこのストッパ部材の先端部が下枠上面を滑り回動するように備え、上記ストッパ受けとストッパ部材の係合を解除する操作用摘みを室外側に備え、室内側からは、キー操作により上記係合解除するための鍵穴を設けている（請求項３）。
【先行技術文献】
【特許文献】
【０００３】
【特許文献１】特許第３５３７４３０号公報
【発明の概要】
【発明が解決しようとする課題】
【０００４】
前記従来技術は、室外側から操作用摘みを操作することにより、火災時等に消防士がストッパ部材の係合を解除することができ、また、室内側から鍵穴にキーを挿入して操作することにより、管理者が清掃・メンテナンスのときにストッパ部材の係合を解除することができる。
前記小開口装置は、換気のために窓を小開口に開放するという役目と、非倫理的目的のための脱出を防止するという役目とがあり、脱出防止目的のための引き戸の移動を制限するという観点からは、キー及び鍵穴を有する錠前機構が必要である。しかし、室内で不本意で火急の事態が発生することも考えられ、そのような場合にキーがなくともストッパ部材の解除が必要になることがあり、前記従来技術においてはそのような不測事態に対処することは困難になっている。
【０００５】
本発明は、このような従来技術の問題点を解決できるようにした引き違い窓の小開口装置を提供することを目的とする。
本発明は、小開口位置に位置規制された内外側引き戸を、あらゆる事態に対応して位置規制を解除することができるようにした引き違い窓の小開口装置を提供することを目的とする。
【課題を解決するための手段】
【０００６】
本発明における課題解決のための具体的手段は、内側引き戸３に対して外側引き戸４を小開口位置Ａまで移動したときに、外側引き戸４の開口拡大方向の移動を規制する引き違い窓の小開口装置であって、外側引き戸４の戸枠４ａの戸移動方向中途部に設けたホルダ５と、このホルダ５内に配置されていて室内方向に出退可能でありかつ先端が突出することにより内側引き戸３と当接可能なストッパ部材６と、前記ホルダ５内に配置されていて戸移動方向に沿って摺動することによりストッパ部材６を出退させる摺動体７と、前記ホルダ５内に配置されていて回動することにより摺動体７を摺動可能でありかつ室内側の端部に回動工具を係合する工具係合部８ａを有する回動体８と、この回動体８を室外側から回動操作する操作部材９とを備えており、前記摺動体７から突出していて摺動体７を室内側から摺動操作可能な補助操作部材１２と、この補助操作部材１２を覆い隠すべく前記ホルダ５の室内側に配置されておりかつ補助操作部材１２を露出すべく手で破壊可能な目隠し部材１３とを有することを特徴とする。
【発明の効果】
【０００７】
本発明によれば、外側引き戸４の開口拡大方向の移動を規制する引き違い窓の小開口装置を室内側から２種の形態で解除することができる。
即ち、ストッパ部材６を出退させる摺動体７を摺動させる回動体８は、室外側からは操作部材９で回動操作可能であり、室内側からは回動体８の室内側の端部に形成された工具係合部８ａに回動工具を係合することにより回動操作可能であり、その上に、目隠し部材１３を強制排除して室内側から補助操作部材１２を操作して、摺動体７を摺動操作することにより回動体８を回動操作できるので、小開口位置Ａに位置規制された外側引き戸４を、あらゆる事態に対応して位置規制を解除することができる。
【図面の簡単な説明】
【０００８】
【図１】本発明の実施形態を示す断面平面図である。
【図２】同平面図である。
【図３】同分解図である。
【図４】回動体とコマ部材の関係を示す説明図である。
【図５】室内側板の正面図である。
【図６】図３のＸ−Ｘ線断面図である。
【図７】小開口装置を適用した引き違い窓の室内側から見た正面図である。
【図８】図７のＹ−Ｙ線断面図である。
【図９】図７のＺ−Ｚ線断面図である。
【発明を実施するための形態】
【０００９】
以下、本発明の実施の形態を図面に基づいて説明する。
図７〜９において、ホテル等の建築物の屋外開口に取り付けられた引き違い窓４０を例示している。
前記引き違い窓４０は、上下部に内外２本のレイール４１ａ、４１ｂを有するサッシ枠４１と、内下レイール４１ａに転動する下戸車４２ａを有する内側引き戸３と、外下レイール４１ｂに転動する下戸車４２ｂを有する外側引き戸４と、基本的に内側引き戸３の端部に取り付けられていて閉鎖時の外側引き戸４の端部に係合して、窓を全閉にしたときに引き戸の移動を阻止するクレセント錠等の防犯用の閉鎖錠４３と、窓を小開口開放してそれ以上の外側引き戸４（または内側引き戸３）の移動を制限する小開口装置１とを備えている。
【００１０】
前記小開口装置１は、常態においてストッパ部材６が室内側に突出していて、内側引き戸３に対して外側引き戸４を小開口位置Ａ（図７の仮想線で示す位置）まで移動したときに、内側引き戸３に設けた当たり４４と当接して、外側引き戸４の開口拡大方向の移動を規制する。
なお、内側引き戸３と外側引き戸４との開閉は相対的なもので、外側引き戸４に対して内側引き戸３を小開口位置Ａ又は全開口位置まで移動するとも言える。また、閉鎖錠４３は、室内側から施錠及び解錠でき、かつ消防士が室外側から解錠できる構造になっている。
【００１１】
図１〜９において、小開口装置１は、外側引き戸４に設けたホルダ５と、このホルダ５内に配置されたストッパ部材６と、ストッパ部材６を出退させる摺動体７と、この摺動体７を摺動する回動体８と、この回動体８を回動操作するための工具係合部８ａ及び操作部材９と、前記摺動体７を摺動操作可能な補助操作部材１２と、この補助操作部材１２を隠す目隠し部材１３とを備えている。
【００１２】
内側引き戸３及び外側引き戸４は、四角形の戸枠３ａ，４ａ内にガラス３ｂ、４ｂを嵌め込んで構成されており、外側引き戸４の戸枠４ａの戸移動方向中途部の下部内にホルダ５が配置され、ネジ止めされている。
図１〜３、５において、前記ホルダ５は、略長方形状のホルダ本体５Ａと、このホルダ本体５Ａの室内側に溶接により固着された室内側板５Ｂと、ホルダ本体５Ａの室外側にネジ止めされた裏板５Ｃとを有しており、室内側板５Ｂが戸枠４ａの前面にネジを介して固
定されている。
【００１３】
前記ホルダ本体５Ａ、室内側板５Ｂ及び裏板５Ｃを貫通する貫通孔１６が形成され、この貫通孔１６に中実棒状（ピン形状）のストッパ部材６が軸心方向移動自在に挿入されており、ストッパ部材６が室内方向に突出することにより、その突出先端が内側引き戸３に取り付けた当たり４４と当接して、外側引き戸４の全開口位置への移動を制限し、小開口位置Ａに保持することになる。
【００１４】
ストッパ部材６の基部側には動作ピン２１が直径方向に貫通されており、ホルダ本体５Ａには動作ピン２１を挿入して室内外方向に案内するガイド溝２２が形成されている。前記動作ピン２１は摺動体７と係合しており、摺動体７の移動によってストッパ部材６は室内外方向に移動される。
ホルダ本体５Ａ内には貫通孔１６と隣接しかつ軸心が平行な回動孔２４が形成され、この回動孔２４に回動体８が軸心周り回動自在に挿入されている。室内側板５Ｂに回動孔２４と同心の露出孔１７が形成され、回動体８の室内側端部の小径部分が配置され、かつその端面が室内側に露出されている。
【００１５】
回動体８の室内側端部には同心的にネジ部材２５が螺合されており、このネジ部材２５の頭部に回動工具を係合する工具係合部８ａが形成されている。この工具係合部８ａは、プラスドライバ、マイナスドライバ等の一般的な回動工具が係合する係合凹部でもよいが、キーの役目をする特殊工具が係合する特殊形状の係合凹部（鍵穴）でもよく、回動工具を工具係合部８ａに係合して回動することにより、回動体８を回動できればよい。
【００１６】
図１〜４において、回動体８の室外側端部には、外周面から半径方向に突出した駆動ピン２６と、端面から軸心に沿って室外側に突出した偏心ピン２７とが設けられている。
前記駆動ピン２６は摺動体７と係合しており、回動体８の軸心周りの回動により摺動体７を摺動移動する。
前記偏心ピン２７は連動コマ２８に設けた連動部材２９と係合している。この連動コマ２８は回動孔２４内に配置されていて、裏板５Ｃによって抜け止めされており、操作部材９と連結する角軸３０が挿入される角穴２８ａが形成されている。
【００１７】
操作部材９は角軸３０の基部に嵌合固定されている。角軸３０は外側引き戸４の戸枠４ａの下部に固定のハンドル受け３１に回動可能に支持され、先端が前記連動コマ２８に挿入されている。
連動部材２９は連動コマ２８の端面に軸心と交差する角棒を嵌め込み固定することより形成されており、偏心ピン２７とは連動コマ２８を正逆どちらに回転しても係合して、連動コマ２８の略９０度の回転を回動体８に伝達する、あるいは回動体８の回転を操作部材９に伝達することができる。
【００１８】
操作部材９は外側引き戸４の室外側に配置されており、その操作力は角軸３０を介して連動コマ２８に伝達され、連動コマ２８が回動するのを連動部材２９及び偏心ピン２７を介して回動体８の回動に変換される。
なお、連動コマ２８の略９０度の回転は、操作部材９を略１８０度回転させて達成するように構成されているが、操作部材９を略９０度回転させて達成するように構成することもできる。
【００１９】
図１〜３、６において、前記摺動体７は、回動体８の回動を介して戸移動方向に沿って摺動することによりストッパ部材６を出退させるものであり、ホルダ本体５Ａの上面側に配置された摺動板７ａと、この摺動板７ａの一側下面に装着された摺動ブロック７ｂとを有する。
前記摺動板７ａには、回動体８の駆動ピン２６と係合する係合穴３３と、ストッパ部材６の動作ピン２１と係合するＳ字状のカム溝２３とが形成されており、カム溝２３の中途部は戸移動方向に対して略３０〜６０度の傾斜溝になっている。
【００２０】
回動体８の回動により駆動ピン２６と係合穴３３との係合を介して摺動板７ａが摺動され、摺動板７ａの摺動によりカム溝２３が動作ピン２１を摺動方向と直交する方向、即ちガイド溝２２で案内されて室内外方向に駆動し、動作ピン２１の移動によってストッパ部材６が出退移動する。
前記摺動板７ａは鉄板等の金属板で形成され、一側は下向きに折り曲げられた前面板７ｃを有しており、摺動板７ａの一側下面及び前面板７ｃに合成樹脂製の摺動ブロック７ｂが固着されている。
【００２１】
前記摺動ブロック７ｂはホルダ本体５Ａの摺動空間３６に摺動自在に配置されており、内部に空洞部３７を有し、この空洞部３７内に補助操作部材１２の基部１２ａと、補助操作部材１２を突出方向に付勢する付勢部材１４（スプリング）が配置されている。補助操作部材１２の抜け止めは前面板７ｃによって行われている。
図１〜３、５において、前記補助操作部材１２の先端１２ｂは、ホルダ本体５Ａを貫通して室内側板５Ｂに形成した挿通孔１８内まで突出している。この挿通孔１８は、補助操作部材１２の移動を許容しかつ案内するもので、この挿通孔１８の前面側の室内側板５Ｂの表面には、挿通孔１８より一回り大きな凹部３８が形成されている。
【００２２】
この凹部３８は補助操作部材１２の先端１２ｂを突出させて手指の摘まみを可能にするとともに、目隠し部材１３を配置するための凹部となっている。
目隠し部材１３は透明又は不透明の合成樹脂又はその他の破損可能な材料で平板状に形成されており、室内側板５Ｂの表面にビス３９を介して装着されており、強制排除可能な部材となっている。目隠し部材１３はビス３９で固着する代わりに、室内側板５Ｂに対して係合する構造としてもよく、回動工具を使用しなくても、人手で意識的に破壊可能な部材、取り付け構造であればよい。
【００２３】
前記目隠し部材１３は凹部３７に配置することにより付勢部材１４に抗して補助操作部材１２を後退させ、強制排除することなしには、補助操作部材１２を摘まんで操作することを不能にする。目隠し部材１３を強制排除すると、補助操作部材１２は付勢部材１４により挿通孔１８から突出する。
補助操作部材１２を摘まんで移動する操作は、摺動ブロック７ｂ及び摺動板７ａを一体移動することになり、動作ピン２１を介してストッパ部材６を移動し、駆動ピン２６を介して回動体８、工具係合部８ａ及び操作部材９をそれぞれ回動する。
【００２４】
引き違い窓４０は通常の全閉状態において、内側引き戸３及び外側引き戸４はサッシ枠４１に当接する閉鎖位置にあり、閉鎖錠４３は施錠され、小開口装置１はストッパ部材６が室内側に突出した小開口設定状態に、操作部材９が略水平な待機姿勢になっている。
前記全閉状態から閉鎖錠４３を解錠すると、外側引き戸４（又は内側引き戸３でもよい）を開放可能となり、一方を開放移動していくと、小開口装置１のストッパ部材６が内側引き戸３に設けた当たり４４と当接して、外側引き戸４の開口拡大方向の移動を規制し、そして外側引き戸４を小開口位置Ａに保持し、引き違い窓４０は換気を行うことが可能な小開口状態になる。
【００２５】
前記閉鎖錠４３が解錠されている条件のもとで、前記全閉状態または小開口状態から、引き違い窓４０を全開口状態にしたい場合、例えば火災時に消防士が室外側から小開口装置１を解除したい場合は、操作部材９を待機姿勢から略１８０度又は９０度回動操作する。
操作部材９の回動により、角軸３０を介して連動コマ２８が回動し、連動部材２９及び偏心ピン２７を介して回動体８の略９０度の回動となり、回動体８の駆動ピン２６の移動は摺動体７の移動に変換され、摺動体７はカム溝２３が動作ピン２１を室外方向に駆動し、ストッパ部材６を室内突出位置から後退させ、当たり４４と当接して小開口位置Ａにある側引き戸４の移動規制を解消する。
【００２６】
例えば、清掃・メンテナンスのために建築物管理者が室内側から小開口装置１を解除したい場合は、回動工具を工具係合部８ａに係合して、直接的に回動体８を略９０度回動操作する。
回動体８の略９０度の回動は、前記操作部材９を操作したときと同様に、摺動体７の移動に変換され、ストッパ部材６を室内突出位置から後退させ、外側引き戸４の移動規制を解消する。
【００２７】
例えば、室内で火災その他の不本意で火急の事態が発生して室内者が室内側から小開口装置１を解除したい場合は、目隠し部材１３を破壊して補助操作部材１２をホルダ５から
室内側に露出し、この補助操作部材１２を摘まんで移動し、直接的に摺動体７を摺動してカム溝２３が動作ピン２１を室外方向に駆動し、ストッパ部材６を室内突出位置から後退させ、外側引き戸４の移動規制を解消する。
【００２８】
目隠し部材１３は破壊された後に新しいものをホルダ５に装着すれば、補助操作部材１２を再び覆い隠すことができる。
補助操作部材１２は目隠し部材１３によって覆い隠されていることにより、非倫理的目的のための脱出しようとする人には心理的な抵抗となり、不純な気持ちを静める作用をする。
【００２９】
前述した実施形態の小開口装置１は、外側引き戸４の戸枠４ａの戸移動方向中途部に設けたホルダ５と、このホルダ５内に配置されていて室内方向に出退可能でありかつ先端が突出することにより内側引き戸３と当接可能なストッパ部材６と、前記ホルダ５内に配置されていて戸移動方向に沿って摺動することによりストッパ部材６を出退させる摺動体７と、前記ホルダ５内に配置されていて回動することにより摺動体７を摺動可能でありかつ室内側の端部に回動工具を係合する工具係合部８ａを有する回動体８と、この回動体８を室外側から回動操作する操作部材９とを備えており、前記摺動体７から突出していて摺動体７を室内側から摺動操作可能な補助操作部材１２と、この補助操作部材１２を覆い隠すべく前記ホルダ５の室内側に配置されておりかつ補助操作部材１２を露出すべく強制排除可能な目隠し部材１３とを有するので、回動工具が無くても、目隠し部材１３を強制排除することにより、補助操作部材１２を摺動操作してストッパ部材６を後退することができ、外側引き戸４の小開口位置規制を解除することができる。その上、１個のホルダ５内にストッパ部材６、摺動体７、回動体８、補助操作部材１２等をコンパクトに組込んでおくことができる。
【００３０】
また、前記補助操作部材１２は、摺動体７内に出退可能に配置され、かつ付勢部材１４により突出方向に付勢されているので、目隠し部材１３を強制排除すると補助操作部材１２が室内側に突出し、摺動体７の室内側からの摺動操作が容易にできる。
さらに、前記ホルダ５は、ストッパ部材６、摺動体７及び回動体８を支持するホルダ本体５Ａと、このホルダ本体５Ａの室内側に配置されおり、かつストッパ部材用貫通孔１６、回動体８の工具係合部用露出孔１７及び補助操作部材用挿通孔１８を形成した室内側板５Ｂとを有しており、前記目隠し部材１３は手で破壊可能な板材で形成されていて室内側板５Ｂの挿通孔１８を塞ぐ位置に設けられているので、目隠し部材１３を簡単かつ安価に形成できかつ装着も容易にできる。
【００３１】
さらにまた、前記ストッパ部材６の基部側には動作ピン２１が設けられ、前記ホルダ５には動作ピン２１を室内外方向の直線移動を案内するガイド溝２２が形成され、前記摺動体７には摺動体７の戸移動方向の動きを動作ピン２１の室内外方向の動きに変換するカム溝２３が形成されているので、摺動体７の戸移動方向の動きをストッパ部材６の室内外方向の動きに簡単かつ確実に変換することができる。
【００３２】
なお、本発明は前記実施形態に限定されるものではなく、部材の形状、構成及び組み合わせ等を変更したりすることもできる。
例えば、補助操作部材１２を摺動ブロック７ｂに固着し、室内側板５Ｂに形成した挿通孔１８を指先が入る大きさにし、目隠し部材１３を破壊しかつ排除すれば、補助操作部材１２は室内方向に突出移動しなくとも、手指で摘まんで戸移動方向に摺動できるように構成してもよい。
【００３３】
また、ネジ部材２５を割愛して、回動体８の室内側端部に直接的に工具係合部８ａを刻設してもよい。
【符号の説明】
【００３４】
１        小開口装置
３        内側引き戸
４        外側引き戸
４ａ      戸枠
５        ホルダ
５Ａ      ホルダ本体
５Ｂ      室内側板
６        ストッパ部材
７        摺動体
８        回動体
８ａ      工具係合部
９        操作部材
１２      補助操作部材
１３      目隠し部材
１４      付勢部材
１６      貫通孔
１７      露出孔
１８      挿通孔
２１      動作ピン
２２      ガイド溝
２３      カム溝
【要約】
【課題】  小開口位置に位置規制された外側引き戸を、あらゆる事態に対応して位置規制を解除できるようにする。
【解決手段】  外側引き戸４の戸枠４ａの戸移動方向中途部に設けたホルダ５と、室内方向に出退可能でありかつ先端が突出することにより内側引き戸３と当接可能なストッパ部材６と、戸移動方向に沿って摺動することによりストッパ部材６を出退させる摺動体７と、回動することにより摺動体７を摺動可能でありかつ室内側の端部に回動工具を係合する工具係合部８ａを有する回動体８と、この回動体８を室外側から回動操作する操作部材９とを備えている。前記摺動体７から突出していて摺動体７を室内側から摺動操作可能な補助操作部材１２と、この補助操作部材１２を覆い隠すべく前記ホルダ５の室内側に配置されておりかつ補助操作部材１２を露出すべく強制排除可能な目隠し部材１３とを有する。
【選択図】図１【図１】
0006944217.tif 000002
【図２】
0006944217.tif 000003
【図３】
0006944217.tif 000004
【図４】
0006944217.tif 000005
【図５】
0006944217.tif 000006
【図６】
0006944217.tif 000007
【図７】
0006944217.tif 000008
【図８】
0006944217.tif 000009
【図９】
0006944217.tif 000010